(57)【特許請求の範囲】
【請求項１】
第１表示パネルと、
前記第１表示パネルに光を供給するための光源と、
前記光源が実装される第１フレキシブルプリント配線板と、
前記第１フレキシブルプリント配線板に実装される光源を設置するためのフレームと、
前記第１表示パネルと前記フレームとを接着するための両面テープからなる遮光シートと、
前記第１フレキシブルプリント配線板を前記第１表示パネルに接着された前記遮光シートに取り付けるための第１両面テープとを備え、
前記第１両面テープの前記第１フレキシブルプリント配線板に接着される面の接着強度は、前記第１両面テープの前記遮光シートに接着される面の接着強度よりも小さく、かつ、前記遮光シートの前記第１表示パネルに接着される面の接着強度よりも小さい、表示装置。
【請求項２】
前記フレームと前記第１フレキシブルプリント配線板とを接着するための第２両面テープとをさらに備え、
前記第１両面テープの前記第１フレキシブルプリント配線板に接着される面の接着強度は、前記第２両面テープの前記フレームに接着される面および前記第１フレキシブルプリント配線板に接着される面の接着強度よりも小さい、請求項１に記載の表示装置。
【請求項３】
前記第１両面テープは、前記第１フレキシブルプリント配線板の領域の少なくとも一部に対応するように前記遮光シートに配置されている、請求項１または２に記載の表示装置。
【請求項４】
前記遮光シートの外形は、平面的に見て前記第１表示パネルの外形に対応するように四角形状に形成されており、
前記第１両面テープは、前記四角形状の外形を有する遮光シートの所定の一辺の端部近傍に沿って設けられている、請求項１〜３のいずれか１項に記載の表示装置。
【請求項５】
前記第１表示パネルに対応するように四角形状に形成されるとともに、前記第１フレキシブルプリント配線板に実装される前記光源からの光を前記第１表示パネルに導くための導光板をさらに備え、
前記光源が実装される第１フレキシブルプリント配線板は、前記光源が前記導光板の所定の一辺の側面に対向する位置に配置されるように、前記第１両面テープにより前記第１表示パネル側に接着されている、請求項１〜４のいずれか１項に記載の表示装置。
【請求項６】
前記光源は、前記導光板の所定の一辺の側面に光を照射するように、前記導光板の所定の一辺が延びる方向に沿って配置される複数の発光ダイオードを含む、請求項５に記載の表示装置。
【請求項７】
前記導光板を挟んで前記第１表示パネルと対向するように配置される第２表示パネルをさらに備え、
前記第１フレキシブルプリント配線板に実装される前記光源および前記導光板は、前記第１表示パネルおよび前記第２表示パネルに共通で使用される、請求項５または６に記載の表示装置。
【請求項８】
前記第１表示パネルおよび前記第２表示パネルに接続される第２フレキシブルプリント配線板をさらに備え、
前記光源が実装される第１フレキシブルプリント配線板は、前記第２フレキシブルプリント配線板に接続される、請求項７に記載の表示装置。
【発明の詳細な説明】
【技術分野】
【０００１】
本発明は、表示装置に関し、特に、光源が実装されたフレキシブルプリント配線板を備えた表示装置に関する。
【背景技術】
【０００２】
従来、光源が実装されたフレキシブルプリント配線板を備えた液晶表示装置が知られている（たとえば、特許文献１参照）。上記特許文献１には、フレキシブルプリント配線板に実装される複数のＬＥＤ（光源）を、それぞれ、複数の凹凸部を有するモールドフレーム（樹脂フレーム）の各凹部に嵌め込むとともに、モールドフレームの各凹部間に位置する各凸部に配置された両面テープにより、モールドフレームの凸部とフレキシブルプリント配線板のＬＥＤが実装される面とを接着して、フレキシブルプリント配線板とモールドフレームとを固定する液晶表示装置が開示されている。
【０００３】
また、従来では、上記した特許文献１の構成において、２つの表示パネルを含むとともに、その２つの表示パネルのうちの一方の表示パネルと表示パネルに光を供給するための光源が実装されるフレキシブルプリント配線板とを両面テープからなる遮光シートにより接着したＬＣＤユニットも知られている。図２２は、従来の２つの表示パネルを含むＬＣＤユニットの構造を示した斜視図であり、図２３は、図２２に示した従来のＬＣＤユニットの分解斜視図である。図２４および図２５は、図２２に示した従来のＬＣＤユニットの詳細構造を説明するための図である。まず、図２２〜図２５を参照して、従来の２つの表示パネルを含むＬＣＤユニットの構造について説明する。
【０００４】
従来の２つの表示パネルを含むＬＣＤユニットは、図２２および図２３に示すように、サブパネル１１０と、サブパネル１１０の表示領域１１０ａよりも大きい表示領域１２０ａを有するメインパネル１２０とを含んでいる。
【０００５】
サブパネル１１０の構造としては、図２３に示すように、２枚のガラス基板１１１ａおよび１１１ｂが、液晶層（図示せず）を挟んで互いに対向するように配置されている。また、ガラス基板１１１ａのガラス基板１１１ｂとは反対側の表面上には、偏光板１１２ａが配置されているとともに、ガラス基板１１１ｂのガラス基板１１１ａとは反対側の表面上には、偏光板１１２ｂが配置されている。そして、偏光板１１２ａ（１１２ｂ）が配置された領域内の破線で囲まれた領域が、サブパネル１１０の表示領域１１０ａとなるとともに、表示領域１１０ａ以外の領域が、非表示領域１１０ｂとなる。また、サブパネル１１０の非表示領域１１０ｂ内の所定領域において、ガラス基板１１１ａのガラス基板１１１ｂ側の表面上には、サブパネル用駆動ＩＣ（Ｉｎｔｅｇｒａｔｅｄ  Ｃｉｒｃｕｉｔ）１１３が形成されている。また、サブパネル用駆動ＩＣ１１３には、サブパネル用ＦＰＣ（Ｆｌｅｘｉｂｌｅ  Ｐｒｉｎｔｅｄ  Ｃｉｒｃｕｉｔ：フレキシブルプリント配線板）１１４が接続されている。
【０００６】
また、メインパネル１２０の構造としては、図２３に示すように、表示領域１２０ａがサブパネル１１０の表示領域１１０ａよりも大きいこと以外は、上記したサブパネル１１０の構造と同様である。すなわち、メインパネル１２０は、液晶層（図示せず）を挟持する２枚のガラス基板１２１ａおよび１２１ｂと、ガラス基板１２１ａおよび１２１ｂの各々の表面上に配置された偏光板１２２ａおよび１２２ｂと、ガラス基板１２１ａの表面上に形成されたメインパネル用駆動ＩＣ１２３と、メインパネル用駆動ＩＣ１２３に接続されたメインパネル用ＦＰＣ１２４とを含んでいる。また、表示領域１２０ａ以外の領域が、非表示領域１２０ｂとなる。
【０００７】
そして、従来のＬＣＤユニットでは、樹脂フレーム１３１の上方側に、サブパネル１１０が配置されているとともに、樹脂フレーム１３１の下方側に、メインパネル１２０が配置されている。具体的には、ＬＣＤユニットの樹脂フレーム１３１は、長方形の枠状に形成されている。この長方形状の樹脂フレーム１３１の長辺部および短辺部の側面には、それぞれ、後述するベゼル（金属製フレーム）１４３用の係合片１３１ａが外側に突出するように形成されている。また、樹脂フレーム１３１の短辺部には、後述する補強プレート１３９用の係合片１３１ｂが外側に突出するように形成されている。また、樹脂フレーム１３１の一方の短辺部と樹脂フレーム１３１の２つの長辺部との連結部分には、それぞれ、後述する共通ＦＰＣ１４２用の位置決めピン１３１ｃがサブパネル１１０側に突出するように形成されている。また、樹脂フレーム１３１の一方の短辺部のメインパネル１２０側には、切り欠き部１３１ｅが形成されている。
【０００８】
また、樹脂フレーム１３１の切り欠き部１３１ｅのメインパネル１２０側の表面には、両面が強い粘着強度（接着強度）を有する両面テープ１３２を介して、ＬＥＤ（発光ダイオード）１３３が実装されたＬＥＤ用ＦＰＣ１３４が接着されている。また、樹脂フレーム１３１の枠内には、導光板１３５が取り付けられている。また、導光板１３５のサブパネル１１０側の表面上には、導光板１３５側から順に、２枚のレンズシート１３６および１枚の拡散シート１３７が配置されている。また、拡散シート１３７のサブパネル１１０側の表面上には、開口部１３８ａを有する遮光シート１３８が配置されている。この遮光シート１３８の開口部１３８ａは、サブパネル１１０の表示領域１１０ａに対応する領域に設けられている。また、遮光シート１３８は、樹脂フレーム１３１に接着されている。
【０００９】
また、遮光シート１３８のサブパネル１１０側の表面上には、長方形状の補強プレート１３９が配置されている。この補強プレート１３９には、開口部１３９ａおよび１３９ｂが形成されている。補強プレート１３９の開口部１３９ａは、サブパネル１１０の表示領域１１０ａに対応する領域に設けられているとともに、補強プレート１３９の開口部１３９ｂは、サブパネル用駆動ＩＣ１１３に対応する領域に設けられている。また、補強プレート１３９の樹脂フレーム１３１の係合片１３１ｂに対応する領域には、それぞれ、樹脂フレーム１３１の係合片１３１ｂと係合する係合孔１３９ｃが形成されている。また、補強プレート１３９の樹脂フレーム１３１の位置決めピン１３１ｃに対応する領域には、それぞれ、長穴１３９ｄが形成されている。そして、補強プレート１３９の係合孔１３９ｃの各々が樹脂フレーム１３１の係合片１３１ｂと係合することにより、補強プレート１３９が樹脂フレーム１３１に対して固定されている。また、樹脂フレーム１３１の位置決めピン１３１ｃは、補強プレート１３９の長穴１３９ｄを介してサブパネル１１０側に突出している。また、補強プレート１３９には、図２４に示すように、サブパネル１１０（ガラス基板１１１ａ）の３辺を囲むように、サブパネル１１０側に突出する位置決め用の突出片１３９ｅが形成されている。また、図２３に示すように、補強プレート１３９のサブパネル１１０側の表面には、両面テープ１４０および１４１が接着されている。
【００１０】
そして、補強プレート１３９のサブパネル１１０側の表面には、両面テープ１４０を介して共通ＦＰＣ１４２が接着されている。この共通ＦＰＣ１４２は、サブパネル１１０およびメインパネル１２０の両方で共通に使用される。また、共通ＦＰＣ１４２は、開口部１４２ａを有するとともに、その開口部１４２ａは、サブパネル１１０に対応する領域に設けられている。また、共通ＦＰＣ１４２の樹脂フレーム１３１の位置決めピン１３１ｃに対応する領域には、それぞれ、位置決め孔１４２ｂが形成されている。そして、補強プレート１３９に接着された共通ＦＰＣ１４２は、共通ＦＰＣ１４２の位置決め孔１４２ｂと樹脂フレーム１３１の位置決めピン１３１ｃとにより、樹脂フレーム１３１に対して位置決めされている。また、共通ＦＰＣ１４２には、ＬＥＤ用ＦＰＣ１３４の端子１３４ａが差し込まれるコネクタ１４２ｃと、サブパネル用ＦＰＣ１１４の端子１１４ａが差し込まれるコネクタ１４２ｄとが実装されている。また、共通ＦＰＣ１４２には、コネクタ１４２ｃおよび１４２ｄ以外のコネクタ１４２ｅも実装されている。また、共通ＦＰＣ１４２は、メインパネル用ＦＰＣ１２４に接続されている。そして、サブパネル１１０は、共通ＦＰＣ１４２の開口部１４２ａを介して、両面テープ１４１により補強プレート１３９に接着されている。また、補強プレート１３９に接着されたサブパネル１１０は、補強プレート１３９の位置決め用の突出片１３９ｅにより、サブパネル１１０の表示領域１１０ａが補強プレート１３９の開口部１３９ａに配置されるように位置決めされている。
【００１１】
また、サブパネル１１０の上方には、長方形状のベゼル（金属製フレーム）１４３が配置されている。このベゼル１４３は、開口部１４３ａを有するとともに、その開口部１４３ａは、サブパネル１１０の表示領域１１０ａに対応する領域に設けられている。これにより、サブパネル１１０の表示領域１１０ａがベゼル１４３の開口部１４３ａから露出される。また、ベゼル１４３の樹脂フレーム１３１の係合片１３１ａに対応する領域には、それぞれ、係合孔１４３ｂが形成されている。そして、ベゼル１４３の係合孔１４３ｂの各々が樹脂フレーム１３１の係合片１３１ａと係合することにより、ベゼル１４３が樹脂フレーム１３１に対して固定されている。また、ベゼル１４３には、共通ＦＰＣ１４２に実装されたコネクタ１４２ｃ〜１４２ｅの各々を露出させるための開口部１４３ｃが形成されている。
【００１２】
また、図２２に示すように、ベゼル１４３の開口部１４３ａの外縁部近傍の領域の下面と、サブパネル１１０の表示領域１１０ａの外縁部近傍の領域（非表示領域１１０ｂ）の上面とは、両面テープ１４４を介して接着されている。
【００１３】
また、図２３および図２５に示すように、樹脂フレーム１３１の枠内において、導光板１３５のメインパネル１２０側の表面上には、導光板１３５側から順に、２枚のレンズシート１５１および１枚の拡散シート１５２が配置されている。また、図２３に示すように、拡散シート１５２のメインパネル１２０側の表面上には、開口部１５３ａを有するとともに両面が強い粘着強度（接着強度）を有する両面テープからなる遮光シート１５３が配置されている。また、遮光シート１５３は、樹脂フレーム１３１とＬＥＤ１３３が実装されるＬＥＤ用ＦＰＣ１３４とに接着されている。そして、樹脂フレーム１３１の枠内において、メインパネル１２０は、遮光シート１５３に接着されている。
【００１４】
【特許文献１】特開２００５−１７３３０２号公報
【発明の開示】
【発明が解決しようとする課題】
【００１５】
しかしながら、図２２〜図２５に示した従来のＬＣＤユニットでは、ＬＥＤ１３３が実装されるＬＥＤ用ＦＰＣ１３４は、両面が強い粘着強度（接着強度）を有する両面テープからなる遮光シート１５３によりメインパネル１２０に接着されるとともに、両面が強い粘着強度を有する両面テープ１３２により樹脂フレーム１３１に接着されているので、図２６に示すように、メインパネル１２０を樹脂フレーム１３１（図２３参照）から分解する場合に、ＬＥＤ１３３が実装されるＬＥＤ用ＦＰＣ１３４に大きな負荷が加わるという不都合が生じる。これにより、ＬＥＤ用ＦＰＣ１３４に実装されるＬＥＤ１３３が破損したり、ＬＥＤ用ＦＰＣ１３４に断線が生じたりするという不都合があった。その結果、ＬＣＤユニットの分解後に再び組み立てる場合に、ＬＥＤ１３３およびＬＥＤ用ＦＰＣ１３４を再利用するのが困難であるという問題点があった。
【００１６】
この発明は、上記のような課題を解決するためになされたものであり、この発明の１つの目的は、光源が実装されるフレキシブルプリント配線板と表示パネルとの分解後にフレキシブルプリント配線板および光源を再利用することが可能な表示装置を提供することである。
【課題を解決するための手段および発明の効果】
【００１７】
上記目的を達成するために、この発明の一の局面による表示装置は、第１表示パネルと、第１表示パネルに光を供給するための光源と、光源が実装される第１フレキシブルプリント配線板と、第１フレキシブルプリント配線板に実装される光源を設置するためのフレームと、第１表示パネルとフレームとを接着するための両面テープからなる遮光シートと、第１フレキシブルプリント配線板を第１表示パネルに接着された遮光シートに取り付けるための第１両面テープとを備え、第１両面テープの第１フレキシブルプリント配線板に接着される面の接着強度は、第１両面テープの遮光シートに接着される面の接着強度よりも小さく、かつ、遮光シートの第１表示パネルに接着される面の接着強度よりも小さい。
【００１８】
この一の局面による表示装置では、上記のように、第１フレキシブルプリント配線板に接着される面の接着強度が、遮光シートに接着される面の接着強度よりも小さい第１両面テープを用いることによって、第１両面テープを介して接着される第１フレキシブルプリント配線板を第１表示パネル側から引き剥がす場合に、第１表示パネル側に接着された第１両面テープの接着強度に比べて、第１フレキシブルプリント配線板に接着された第１両面テープの接着強度の方が小さいので、第１表示パネル側から第１フレキシブルプリント配線板を容易に引き剥がすことができる。これにより、第１表示パネル側に接着された第１フレキシブルプリント配線板を引き剥がすのに大きな力を必要としないので、第１フレキシブルプリント配線板に大きな負荷が加わるのを抑制することができる。このため、第１フレキシブルプリント配線板に大きな負荷が加わることに起因して、第１フレキシブルプリント配線板が変形するのを抑制することができるので、第１フレキシブルプリント配線板に実装される光源が破損したり、第１フレキシブルプリント配線板に断線が生じたりするのを抑制することができる。その結果、第１表示パネル側に第１両面テープを介して接着される第１フレキシブルプリント配線板と光源とを再利用可能な状態で引き剥がすことができるので、この再利用可能な第１フレキシブルプリント配線板および光源を用いて、表示装置を再び組み立てることができる。
【００２０】
上記一の局面による表示装置において、好ましくは、第１フレキシブルプリント配線板に実装される光源を設置するためのフレームと、第１表示パネルとフレームとを接着するための両面テープからなる遮光シートとをさらに備え、第１両面テープは、遮光シートと第１フレキシブルプリント配線板との間に配置されており、第１両面テープの第１フレキシブルプリント配線板に接着される面の接着強度は、遮光シートの第１両面テープに接着される面および第１表示パネルに接着される面の接着強度よりも小さい。このように構成すれば、遮光シートに第１両面テープを介して接着される第１フレキシブルプリント配線板を遮光シートから引き剥がす場合に、第１両面テープおよび第１表示パネルに接着される遮光シートの接着強度に比べて、第１フレキシブルプリント配線板に接着された第１両面テープの接着強度の方が小さいので、遮光シートから第１フレキシブルプリント配線板を容易に引き剥がすことができる。その結果、遮光シートに第１両面テープを介して接着される第１フレキシブルプリント配線板と光源とを再利用可能な状態で引き剥がすことができるので、この再利用可能な第１フレキシブルプリント配線板および光源を用いて、表示装置を再び組み立てることができる。
【００２１】
上記一の局面による表示装置において、好ましくは、フレームと第１フレキシブルプリント配線板とを接着するための第２両面テープとをさらに備え、第１両面テープの第１フレキシブルプリント配線板に接着される面の接着強度は、第２両面テープのフレームに接着される面および第１フレキシブルプリント配線板に接着される面の接着強度よりも小さい。このように構成すれば、接着強度の大きい第２両面テープにより第１フレキシブルプリント配線板をフレームに対して強固に接着しながら、接着強度の小さい第１両面テープにより第１フレキシブルプリント配線板を第１表示パネルに対して弱い接着力で接着することができる。その結果、フレームに強固に接着された第１フレキシブルプリント配線板を第１表示パネルから容易に引き剥がすことができる。
【００２２】
上記一の局面による表示装置において、好ましくは、第１両面テープは、第１フレキシブルプリント配線板の領域の少なくとも一部に対応するように遮光シートに配置されている。このように構成すれば、遮光シートに配置された第１両面テープが、第１フレキシブルプリント配線板の少なくとも一部の領域に接着されるので、第１両面テープの接着強度よりも大きい接着強度を有する遮光シートに第１フレキシブルプリント配線板のすべての領域が接着される場合と異なり、遮光シートが接着される第１表示パネル側から第１フレキシブルプリント配線板を容易に引き剥がすことができる。
【００２３】
上記一の局面による表示装置において、好ましくは、遮光シートの外形は、平面的に見て第１表示パネルの外形に対応するように四角形状に形成されており、第１両面テープは、四角形状の外形を有する遮光シートの所定の一辺の端部近傍に沿って設けられている。このように構成すれば、遮光シートの所定の一辺の端部近傍に沿って設けられた接着強度の小さい第１両面テープに第１フレキシブルプリント配線板が接着されるので、接着強度の大きい遮光シートの所定の一辺の端部近傍に第１フレキシブルプリント配線板が強固に接着されるのを抑制することができる。これにより、遮光シートの端部近傍から第１フレキシブルプリント配線板をより容易に引き剥がすことができる。
【００２４】
上記一の局面による表示装置において、好ましくは、第１表示パネルに対応するように四角形状に形成されるとともに、第１フレキシブルプリント配線板に実装される光源からの光を第１表示パネルに導くための導光板をさらに備え、光源が実装される第１フレキシブルプリント配線板は、光源が導光板の所定の一辺の側面に対向する位置に配置されるように、第１両面テープにより第１表示パネル側に接着されている。このように構成すれば、光源を導光板の所定の一辺の側面に対向するように配置した構造においても、接着強度の小さい第１両面テープの機能により第１フレキシブルプリント配線板と光源とを再利用可能な状態で第１表示パネル側から引き剥がすことができる。
【００２５】
上記導光板を備えた表示装置において、好ましくは、光源は、導光板の所定の一辺の側面に光を照射するように、導光板の所定の一辺が延びる方向に沿って配置される複数の発光ダイオードを含む。このように、導光板の所定の一辺が延びる方向に沿って配置される複数の発光ダイオードが実装される第１フレキシブルプリント配線板を用いた場合にも、接着強度の小さい第１両面テープの機能により、第１フレキシブルプリント配線板と複数の発光ダイオードとを再利用可能な状態で第１表示パネル側から引き剥がすことができる。
【００２６】
上記導光板を備えた表示装置において、好ましくは、導光板を挟んで第１表示パネルと対向するように配置される第２表示パネルをさらに備え、第１フレキシブルプリント配線板に実装される光源および導光板は、第１表示パネルおよび第２表示パネルに共通で使用される。このように構成すれば、１つの光源および１つの導光板を共通で使用する第１表示パネルおよび第２表示パネルを含む表示装置において、接着強度の小さい第１両面テープの機能により、第１表示パネルと光源が実装される第１フレキシブルプリント配線板とを分解した場合に、第１フレキシブルプリント配線板および光源を再利用することができる。
【００２７】
上記第２表示パネルを備えた表示装置において、好ましくは、第１表示パネルおよび第２表示パネルに接続される第２フレキシブルプリント配線板をさらに備え、光源が実装される第１フレキシブルプリント配線板は、第２フレキシブルプリント配線板に接続される。このように構成すれば、光源が実装される第１フレキシブルプリント配線板が第２フレキシブルプリント配線板に接続された状態で、第１表示パネルから光源が実装される第１フレキシブルプリント配線板を引き剥がす場合でも、接着強度の小さい第１両面テープの機能により、第１フレキシブルプリント配線板を第１表示パネルから容易に引き剥がすことができるので、第１フレキシブルプリント配線板の引き剥がし時に、第１フレキシブルプリント配線板を介して第２フレキシブルプリント配線板が変形するのを抑制することができる。これにより、第１フレキシブルプリント配線板、第２フレキシブルプリント配線板および光源を再利用することができる。
【発明を実施するための最良の形態】
【００２８】
以下、本発明の実施形態を図面に基づいて説明する。
【００２９】
図１は、本発明の一実施形態によるＬＣＤユニット（液晶表示装置）をサブパネル側から見た斜視図であり、図２は、図１に示した一実施形態によるＬＣＤユニットをメインパネル側から見た斜視図である。図３は、図１に示した一実施形態によるＬＣＤユニットの分解斜視図である。図４〜図１４は、図１に示した一実施形態によるＬＣＤユニットの詳細を説明するための図である。まず、図１〜図１４を参照して、本実施形態によるＬＣＤユニットの構造について説明する。
【００３０】
本実施形態によるＬＣＤユニットは、図１および図２に示すように、サブパネル（上側パネル）１０とメインパネル（下側パネル）２０とを含んでいる。なお、サブパネル１０およびメインパネル２０は、それぞれ、本発明の「第２表示パネル」および「第１表示パネル」の一例である。
【００３１】
サブパネル１０の構造としては、図３に示すように、２枚のガラス基板１１ａおよび１１ｂが、液晶層（図示せず）を挟んで互いに対向するように配置されている。また、ガラス基板１１ａのガラス基板１１ｂとは反対側の表面上には、偏光板１２ａが配置されているとともに、ガラス基板１１ｂのガラス基板１１ａとは反対側の表面上には、偏光板１２ｂが配置されている。そして、偏光板１２ａ（１２ｂ）が配置された領域内の破線で囲まれた領域が、サブパネル１０の表示領域１０ａとなるとともに、表示領域１０ａ以外の領域が、非表示領域１０ｂとなる。また、サブパネル１０の非表示領域１０ｂ内の所定領域において、ガラス基板１１ａのガラス基板１１ｂ側の表面上には、サブパネル用駆動ＩＣ１３が形成されている。また、サブパネル用駆動ＩＣ１３には、サブパネル用ＦＰＣ（フレキシブルプリント配線板）１４が接続されている。
【００３２】
また、図３の下方側に配置されるメインパネル２０の構造としては、上記したサブパネル１０の構造と同様である。すなわち、メインパネル２０では、２枚のガラス基板２１ａおよび２１ｂが、液晶層（図示せず）を挟んで互いに対向するように配置されている。また、ガラス基板２１ａのガラス基板２１ｂとは反対側の表面上には、偏光板２２ａが配置されているとともに、ガラス基板２１ｂのガラス基板２１ａとは反対側の表面上には、偏光板２２ｂが配置されている。そして、偏光板２２ａ（２２ｂ）が配置された領域内の破線で囲まれた領域が、メインパネル２０の表示領域２０ａとなるとともに、表示領域２０ａ以外の領域が、非表示領域２０ｂとなる。なお、メインパネル２０の表示領域２０ａは、サブパネル１０の表示領域１０ａよりも大きくなるように構成されている。また、メインパネル２０の非表示領域２０ｂ内の所定領域において、ガラス基板２１ａのガラス基板２１ｂ側の表面上には、メインパネル用駆動ＩＣ２３が形成されている。また、メインパネル用駆動ＩＣ２３には、メインパネル用ＦＰＣ２４が接続されている。
【００３３】
そして、本実施形態のＬＣＤユニットでは、樹脂フレーム３１の上方側に、サブパネル１０が配置されているとともに、樹脂フレーム３１の下方側に、メインパネル２０が配置されている。なお、樹脂フレーム３１は、本発明の「フレーム」の一例である。具体的には、ＬＣＤユニットの樹脂フレーム３１は、図３、図６および図７に示すように、短手方向に互いに対向する２つの長辺部と、長手方向に互いに対向する２つの短辺部とを含むとともに、長方形の枠状に形成されている。この樹脂フレーム３１の２つの長辺部の側面には、それぞれ、後述するベゼル（金属製フレーム）４３用の係合片３１ａが外側に突出するように３つずつ形成されている。また、樹脂フレーム３１の一方の短辺部の側面には、ベゼル４３用の係合片３１ａが外側に突出するように１つ形成されている。さらに、樹脂フレーム３１の一方の短辺部の側面には、後述する補強プレート３９用の１つの係合片３１ｂが外側に突出するように形成されている。また、樹脂フレーム３１の他方の短辺部の側面の両端部には、それぞれ、補強プレート３９用の係合片３１ｂが外側に突出するように形成されている。また、図３および図６に示すように、樹脂フレーム３１の他方の短辺部と樹脂フレーム３１の２つの長辺部との連結部分には、それぞれ、後述する共通ＦＰＣ４２用の位置決めピン３１ｃがサブパネル１０側に突出するように形成されている。また、樹脂フレーム３１の他方の短辺部のメインパネル２０側には、切り欠き部３１ｅが形成されている。
【００３４】
また、図３および図７に示すように、樹脂フレーム３１の切り欠き部３１ｅのメインパネル２０側の表面には、両面が強い粘着強度を有する両面テープ（Ｎｏ．５３２、日東電工製）３２を介して、ＬＥＤ（発光ダイオード）３３が実装されたＬＥＤ用ＦＰＣ３４が接着されている。なお、ＬＥＤ３３は、本発明の「光源」の一例であり、ＬＥＤ用ＦＰＣ３４は、本発明の「第１フレキシブルプリント配線板」の一例である。また、両面テープ３２は、本発明の「第２両面テープ」の一例である。また、強粘着の両面テープ３２は、約６０μｍの厚みを有するとともに、ポリエステルフィルムの両面上に、それぞれ、強粘着層が塗布された構造を有する。
【００３５】
ここで、本実施形態の両面テープ３２の接着強度について説明する。この両面テープ３２をステンレス製の基材に接着した状態から１８０°の方向に２０ｍｍだけ引き剥がす場合には、約６．０Ｎの引き剥がし力を要する。したがって、両面テープ３２とステンレス製の基材とは、約６．０Ｎの接着強度で接着されている。つまり、本実施形態では、後述する両面テープ５４のＬＥＤ用ＦＰＣ３４に接着される微粘着層５４ｂの接着強度（約２．５Ｎ）は、両面テープ３２の樹脂フレーム３１に接着される面およびＬＥＤ用ＦＰＣ３４に接着される面の接着強度（約６．０Ｎ）よりも小さい。
【００３６】
また、樹脂フレーム３１の枠内には、ＬＥＤ３３の光をサブパネル１０およびメインパネル２０に導くための導光板３５が取り付けられている。すなわち、ＬＥＤ３３および導光板３５は、サブパネル１０およびメインパネル２０の両方で共通に使用される。
【００３７】
また、図３に示すように、導光板３５のサブパネル１０側の表面上には、導光板３５側から順に、２枚のレンズシート３６および１枚の拡散シート３７が配置されている。レンズシート３６は、導光板３５からの光を集光する機能を有するとともに、拡散シート３７は、レンズシート３６からの光を拡散する機能を有する。また、拡散シート３７のサブパネル１０側の表面上には、開口部３８ａを有する遮光シート３８が配置されている。この遮光シート３８は、サブパネル１０側において、ＬＥＤ３３からの光が表示領域１０ａ以外の領域から漏れるのを抑制する機能を有する。すなわち、遮光シート３８の開口部３８ａは、サブパネル１０の表示領域１０ａに対応する領域に設けられている。また、遮光シート３８の外縁部は、樹脂フレーム３１の２つの長辺部と２つの短辺部とに接着されている。これにより、導光板３５と遮光シート３８との間に位置するレンズシート３６および拡散シート３７が、樹脂フレーム３１に対して固定される。
【００３８】
また、遮光シート３８のサブパネル１０側の表面上には、ステンレス製の板金からなる長方形状の補強プレート３９が配置されている。この補強プレート３９は、後述する共通ＦＰＣ４２を補強する機能を有する。また、図３および図８に示すように、補強プレート３９には、開口部３９ａおよび３９ｂが形成されている。補強プレート３９の開口部３９ａは、サブパネル１０の表示領域１０ａに対応する領域に設けられているとともに、補強プレート３９の開口部３９ｂは、サブパネル用駆動ＩＣ１３に対応する領域に設けられている。
【００３９】
また、補強プレート３９の樹脂フレーム３１の３つの係合片３１ｂに対応する領域には、それぞれ、樹脂フレーム３１の係合片３１ｂと係合する係合孔３９ｃが形成されている。また、補強プレート３９の樹脂フレーム３１の２つの位置決めピン３１ｃに対応する領域には、それぞれ、長穴３９ｄが形成されている。そして、補強プレート３９の３つの係合孔３９ｃの各々が樹脂フレーム３１の３つの係合片３１ｂと係合することにより、補強プレート３９が樹脂フレーム３１に対して固定されている。また、樹脂フレーム３１の位置決めピン３１ｃは、補強プレート３９の長穴３９ｄを介してサブパネル１０側に突出している。
【００４０】
また、補強プレート３９には、サブパネル１０（ガラス基板１１ａ）の３辺を囲むように、サブパネル１０側に突出する複数の位置決め用の突出片３９ｅが形成されている。この補強プレート３９の複数の突出片３９ｅは、サブパネル１０の表示領域１０ａが補強プレート３９の開口部３９ａに配置されるように、補強プレート３９に対してサブパネル１０を位置決めする機能を有する。
【００４１】
また、補強プレート３９のサブパネル１０側の表面には、微粘着の両面テープ（Ｎｏ．５６９０、日東電工製）４０と、強粘着の両面テープ（Ｎｏ．５３２、日東電工製）４１とが接着されている。具体的には、微粘着の両面テープ４０は、補強プレート３９のサブパネル１０に対応する領域を取り囲むように、補強プレート３９に接着されている。また、強粘着の両面テープ４１は、微粘着の両面テープ４０から所定の間隔を隔てて補強プレート３９の開口部３９ａの外縁部に沿った領域に接着されている。なお、微粘着の両面テープ４０は、図９に示すように、約１２μｍの厚みを有するポリエステルフィルム４０ａの一方および他方の表面上に、それぞれ、約９μｍの厚みを有する微粘着層４０ｂおよび約９μｍの厚みを有する強粘着層４０ｃが塗布された構造を有する。そして、図３に示すように、微粘着の両面テープ４０の強粘着層４０ｃ（図９参照）が、補強プレート３９のサブパネル１０側の表面に接着されている。また、微粘着の両面テープ４０の微粘着層４０ｂ（図９参照）は、共通ＦＰＣ４２のメインパネル２０側の表面に接着されている。すなわち、図３および図１１に示すように、補強プレート３９のサブパネル１０側の表面には、微粘着の両面テープ４０を介して、共通ＦＰＣ４２が接着されている。この共通ＦＰＣ４２は、サブパネル１０およびメインパネル２０の両方で共通に使用される。なお、共通ＦＰＣは、本発明の「第２フレキシブルプリント配線板」の一例である。
【００４２】
また、共通ＦＰＣ４２は、開口部４２ａを有するとともに、その開口部４２ａは、サブパネル１０に対応する領域に設けられている。したがって、補強プレート３９と共通ＦＰＣ４２とは、サブパネル１０に対応する領域以外の所定領域に位置する微粘着の両面テープ４０のみを介して接着されている。また、図３および図１０に示すように、共通ＦＰＣ４２の樹脂フレーム３１の２つの位置決めピン３１ｃに対応する領域には、それぞれ、位置決め孔４２ｂが形成されている。そして、補強プレート３９に接着される共通ＦＰＣ４２は、共通ＦＰＣ４２の位置決め孔４２ｂと樹脂フレーム３１の位置決めピン３１ｃとにより、樹脂フレーム３１に対して位置決めされている。また、共通ＦＰＣ４２には、ＬＥＤ用ＦＰＣ３４の端子３４ａが差し込まれるコネクタ４２ｃと、サブパネル用ＦＰＣ１４の端子１４ａが差し込まれるコネクタ４２ｄとが実装されている。また、共通ＦＰＣ４２には、コネクタ４２ｃおよび４２ｄ以外の複数のコネクタ４２ｅも実装されている。また、共通ＦＰＣ４２は、メインパネル用ＦＰＣ２４に接続されている。
【００４３】
そして、図３に示すように、サブパネル１０は、共通ＦＰＣ４２の開口部４２ａを介して補強プレート３９に接着されている。具体的には、サブパネル１０の表示領域１０ａを囲む領域（非表示領域１０ｂ）が、補強プレート３９の開口部３９ａの外縁部に沿った領域に位置する強粘着の両面テープ４１に接着されている。また、補強プレート３９に接着されたサブパネル１０は、補強プレート３９の位置決め用の突出片３９ｅにより、サブパネル１０の表示領域１０ａが補強プレート３９の開口部３９ａに配置されるように位置決めされている。
【００４４】
また、サブパネル１０の上方には、ステンレス製の板金からなる長方形状のベゼル（金属製フレーム）４３が配置されている。このベゼル４３は、図３および図１２に示すように、開口部４３ａを有するとともに、その開口部４３ａは、サブパネル１０の表示領域１０ａに対応する領域に設けられている。これにより、サブパネル１０の表示領域１０ａがベゼル４３の開口部４３ａから露出される。また、ベゼル４３の短手方向に互いに対向する２つの側面には、それぞれ、係合孔４３ｂが３つずつ形成されている。また、ベゼル４３の長手方向に互いに対向する２つの側面のうちの一方には、１つの係合孔４３ｂが形成されている。そして、ベゼル４３の７つの係合孔４３ｂの各々が樹脂フレーム３１の７つの係合片３１ａと係合することにより、ベゼル４３が樹脂フレーム３１に対して固定されている。また、ベゼル４３には、共通ＦＰＣ４２に実装されたコネクタ４２ｃ〜４２ｅの各々を露出させるための開口部４３ｃが形成されている。
【００４５】
また、図３、図４および図１２に示すように、サブパネル１０とベゼル４３との間に、サブパネル１０の表面に接着しないようにクッション層４４が配置されている。このクッション層４４は、発泡性材料（ＳＣＦ−１００、日東電工製）からなる。また、このクッション層４４は、強粘着の両面テープ（Ｎｏ．５３２、日東電工製）４５を介して、ベゼル４３の開口部４３ａの外縁部近傍のサブパネル１０側の表面に沿って接着されている。
【００４６】
また、ベゼル４３の開口部４３ａの外縁部の全ての領域に沿って、絞り加工による凹部４３ｄが形成されている。このベゼル４３の凹部４３ｄは、ベゼル４３の凹部４３ｄ以外の部分と同じ厚みを有する。そして、クッション層４４は、ベゼル４３の凹部４３ｄのサブパネル１０側の表面に接着されている。また、図５に示すように、ベゼル４３の凹部４３ｄのサブパネル１０側の表面に接着されたクッション層４４は、サブパネル１０（ガラス基板１１ａ）のサブパネル用駆動ＩＣ１３が形成された表面とは反対側の表面に、サブパネル１０の表示領域１０ａを囲むように接触している。なお、図４および図５では、図面の簡略化のため、レンズシート３６および拡散シート３７を１つのシート３０で表しているとともに、後述するレンズシート５１および拡散シート５２を１つのシート５０で表している。
【００４７】
また、図３および図１２に示すように、ベゼル４３のサブパネル１０側の表面上の所定領域には、ベゼル４３と共通ＦＰＣ４２に実装された電子部品（図示せず）とを絶縁するための絶縁シート４６が設けられている。
【００４８】
また、図３に示すように、樹脂フレーム３１の枠内において、導光板３５のメインパネル２０側の表面上には、導光板３５側から順に、２枚のレンズシート５１および１枚の拡散シート５２が配置されている。また、拡散シート５２のメインパネル２０側の表面上には、開口部５３ａを有する長方形状の遮光シート５３が配置されている。この遮光シート５３は、メインパネル２０側において、ＬＥＤ３３からの光が表示領域２０ａ以外の領域から漏れるのを抑制する機能を有する。すなわち、遮光シート５３の開口部５３ａは、メインパネル２０の表示領域２０ａに対応する領域に設けられている。
【００４９】
ここで、本実施形態では、図３および図１３に示すように、両面が強い粘着強度を有する両面テープからなる遮光シート５３のＬＥＤ用ＦＰＣ３４側の端部に沿って、微粘着の両面テープ（Ｎｏ．５６９０、日東電工製）５４が接着されている。この両面テープ５４は、遮光シート５３に接着された状態で、遮光シート５３の短手方向の幅と実質的に同じ長さを有するように形成されている。なお、両面テープ５４は、本発明の「第１両面テープ」の一例である。この微粘着の両面テープ５４は、図１４に示すように、約１２μｍの厚みを有するポリエステルフィルム５４ａの一方および他方の表面上に、それぞれ、約９μｍの厚みを有する微粘着層５４ｂおよび約９μｍの厚みを有する強粘着層５４ｃが塗布された構造を有する。そして、図３に示すように、微粘着の両面テープ５４の強粘着層５４ｃは、遮光シート５３の表面に接着されており、微粘着の両面テープ５４の微粘着層５４ｂは、ＬＥＤ用ＦＰＣ３４の表面に接着されている。
【００５０】
ここで、本実施形態の両面テープ５４の接着強度について説明する。この両面テープ５４の微粘着層５４ｂをステンレス製の基材に接着した状態から１８０°の方向に２０ｍｍだけ引き剥がす場合には、約２．５Ｎの引き剥がし力を要する。したがって、両面テープ５４の微粘着層５４ｂとステンレス製の基材とは、約２．５Ｎの接着強度で接着される。これに対して、両面テープ５４の強粘着層５４ｃをステンレス製の基材に接着した状態から１８０°の方向に２０ｍｍだけ引き剥がす場合には、約８．０Ｎの引き剥がし力を要する。したがって、両面テープ５４の強粘着層５４ｃとステンレス製の基材とは、約８．０Ｎの接着強度で接着されている。つまり、本実施形態では、両面テープ５４のＬＥＤ用ＦＰＣ３４に接着される微粘着層５４ｂの接着強度（約２．５Ｎ）は、両面テープ５４の遮光シート５３に接着される強粘着層５４ｃの接着強度（約８．０Ｎ）よりも小さい。
【００５１】
さらに、本実施形態の両面テープ５４の微粘着層５４ｂの接着強度（約２．５Ｎ）は、ＬＥＤ用ＦＰＣ３４をメインパネル２０から引き剥がす場合に、ＬＥＤ用ＦＰＣ３４およびＬＥＤ３３を再利用可能な状態で引き剥がすことが可能な接着強度である。また、両面テープ５４の微粘着層５４ｂの接着強度（約２．５Ｎ）は、両面が強い粘着強度を有する両面テープからなる遮光シート５３の接着強度よりも小さい。
【００５２】
そして、遮光シート５３の外縁部の両面テープ５４が存在しない領域は、樹脂フレーム３１の２つの長辺部と２つの短辺部とに接着されている。また、図３および図１１に示すように、遮光シート５３のＬＥＤ用ＦＰＣ３４側の端部は、微粘着の両面テープ５４を介してＬＥＤ用ＦＰＣ３４に接着されている。これにより、導光板３５と遮光シート５３との間に位置するレンズシート５１および拡散シート５２が、樹脂フレーム３１に対して固定される。
【００５３】
そして、図３に示すように、樹脂フレーム３１の枠内において、メインパネル２０のガラス基板２１ａの外縁部が、遮光シート５３に接着されている。
【００５４】
図１５〜図１９は、本発明の一実施形態によるＬＣＤユニットの分解時の手順を説明するための図である。次に、図３、図４、図１０および図１５〜図１９を参照して、本実施形態によるＬＣＤユニットを分解する際の手順について説明する。
【００５５】
まず、ＬＣＤユニットのサブパネル１０側を分解する際には、図３に示したベゼル４３の係合孔４３ｂと、樹脂フレーム３１の係合片３１ａとの係合を解除する。この際、図４に示したように、ベゼル４３に接着されたクッション層４４は、サブパネル１０に対しては接着されていないので、上記したベゼル４３と樹脂フレーム３１との係合の解除動作を行うことにより、樹脂フレーム３１からベゼル４３が取り外される。これにより、図１０に示した状態になる。
【００５６】
次に、図１０に示した状態から、共通ＦＰＣ４２を取り外す。具体的には、図１５に示すように、共通ＦＰＣ４２と補強フレーム３９とを接着する微粘着の両面テープ４０から、共通ＦＰＣ４２を引き剥がすことによって、図１６に示す状態となる。
【００５７】
また、ＬＣＤユニットのメインパネル２０側を分解する際には、まず、図１７に示すように、樹脂フレーム３１（図３参照）に接着された遮光シート５３を、メインパネル２０と共に樹脂フレーム３１から引き剥がす。さらに、図１８に示すように、ＬＥＤ用ＦＰＣ３４に接着された微粘着の両面テープ５４を、遮光シート５３（メインパネル２０）と共にＬＥＤ用ＦＰＣ３４から引き剥がすことによって、図１９に示す状態となる。
【００５８】
本実施形態では、上記のように、ＬＥＤ用ＦＰＣ３４に接着される微粘着層５４ｂの接着強度（約２．５Ｎ）が、メインパネル２０側に接着される強粘着層５４ｃの接着強度（約８．０Ｎ）よりも小さい両面テープ５４を用いることによって、両面テープ５４を介して接着されるＬＥＤ用ＦＰＣ３４をメインパネル２０側から引き剥がす場合に、メインパネル２０側に接着された両面テープ５４の強粘着層５４ｃの接着強度に比べて、ＬＥＤ用ＦＰＣ３４に接着された両面テープ５４の微粘着層５４ｂの接着強度の方が小さいので、メインパネル２０側からＬＥＤ用ＦＰＣ３４を容易に引き剥がすことができる。これにより、約２．５Ｎでメインパネル２０側に接着されたＬＥＤ用ＦＰＣ３４を引き剥がすことができるので、ＬＥＤ用ＦＰＣ３４に約２．５Ｎ以上の負荷が加わるのを抑制することができる。このため、ＬＥＤ用ＦＰＣ３４に約２．５Ｎ以上の負荷が加わることに起因して、ＬＥＤ用ＦＰＣ３４が変形するのを抑制することができるので、ＬＥＤ用ＦＰＣ３４に実装されるＬＥＤ３３が破損したり、ＬＥＤ用ＦＰＣ３４に断線が生じたりするのを抑制することができる。その結果、メインパネル２０（遮光シート５３）側に両面テープ５４を介して接着されるＬＥＤ用ＦＰＣ３４とＬＥＤ３３とを再利用可能な状態で引き剥がすことができるので、この再利用可能なＬＥＤ用ＦＰＣ３４およびＬＥＤ３３を用いて、ＬＣＤユニットを再び組み立てることができる。
【００５９】
また、本実施形態では、両面テープ５４のＬＥＤ用ＦＰＣ３４に接着される微粘着層５４ｂの接着強度（約２．５Ｎ）を、両面テープ３２の樹脂フレーム３１に接着される面およびＬＥＤ用ＦＰＣ３４に接着される面の接着強度（約６．０Ｎ）よりも小さくすることによって、接着強度の大きい両面テープ３２によりＬＥＤ用ＦＰＣ３４を樹脂フレーム３１に対して約６．０Ｎの接着力で強固に接着しながら、接着強度の小さい微粘着層５４ｂを有する両面テープ５４によりＬＥＤ用ＦＰＣ３４をメインパネル２０に対して約２．５Ｎの弱い接着力で接着することができる。その結果、両面テープ５４および両面テープ３２に接着されたＬＥＤ用ＦＰＣ３４をメインパネル２０（遮光シート５３）から容易に引き剥がすことができる。
【００６０】
また、本実施形態では、両面テープ５４を、長方形状の遮光シート５３のＬＥＤ用ＦＰＣ３４側の端部に沿って設けることによって、遮光シート５３のＬＥＤ用ＦＰＣ３４側の端部に沿って設けられた接着強度の小さい微粘着層５４ｂを有する両面テープ５４にＬＥＤ用ＦＰＣ３４が接着されるので、接着強度の大きい遮光シート５３の端部にＬＥＤ用ＦＰＣ３４が強固に接着されるのを抑制することができる。これにより、遮光シート５３の端部側からＬＥＤ用ＦＰＣ３４をより容易に引き剥がすことができる。
【００６１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６２】
たとえば、上記実施形態では、ＬＣＤユニット（液晶表示装置）に本発明を適用する例を示したが、本発明はこれに限らず、ＬＣＤユニット以外の表示装置にも適用可能である。ＬＣＤユニット以外の表示装置としては、たとえば、有機ＥＬ表示装置などがある。
【００６３】
また、上記実施形態では、ＬＥＤ用ＦＰＣ３４に接着される微粘着層５４ｂが約２．５Ｎの接着強度を有する両面テープ５４（Ｎｏ．５６９０、日東電工製）を用いる例を示したが、本発明はこれに限らず、ＬＥＤ用ＦＰＣ３４をメインパネル２０から引き剥がす場合に、ＬＥＤ用ＦＰＣ３４およびＬＥＤ３３が再利用可能な状態で引き剥がすことが可能な接着強度であれば、上記した約２．５Ｎ以外の接着強度を有する微粘着層を含む両面テープを用いてもよい。
【００６４】
また、上記実施形態では、図１３に示すように、遮光シート５３の短手方向の幅と実質的に同じ長さを有する両面テープ５４を、遮光シート５３のＬＥＤ用ＦＰＣ３４側の端部の短手方向に延びる部分の全長に渡って接着する例を示したが、本発明はこれに限らず、図２０に示した本発明の第１変形例のように、遮光シート５３の短手方向の幅より小さい長さを有する両面テープ６４を遮光シート５３のＬＥＤ用ＦＰＣ３４側の端部の短手方向に延びる部分に部分的に沿って接着してもよい。
【００６５】
また、上記実施形態では、図１３に示すように、１枚の両面テープ５４を、遮光シート５３のＬＥＤ用ＦＰＣ３４側の端部の短手方向に延びる部分の全長に渡って接着する例を示したが、本発明はこれに限らず、図２１に示した本発明の第２変形例のように、複数の両面テープ７４を、遮光シート５３のＬＥＤ用ＦＰＣ３４側の端部の短手方向に延びる部分に、所定の間隔を隔てて部分的に接着してもよい。
【００６６】
また、上記実施形態では、２つの表示パネル（サブパネルおよびメインパネル）を含む表示装置に本発明を適用する例を示したが、本発明はこれに限らず、１つの表示パネルのみを含む表示装置にも適用可能である。
【００６７】
また、上記実施形態では、樹脂フレーム３１とＬＥＤ用ＦＰＣ３４とを両面が強い粘着強度を有する両面テープ（Ｎｏ．５３２、日東電工製）３２を用いて接着する例を示したが、本発明はこれに限らず、ＬＥＤ用ＦＰＣ３４に実装されるＬＥＤ３３を固定可能に樹脂フレーム３１に取り付けてもよい。
【００６８】
また、上記実施形態では、ＬＥＤ用ＦＰＣに実装される光源としてＬＥＤ（発光ダイオード）を用いる例を示したが、本発明はこれに限らず、ＬＥＤ以外の光源を用いてもよい。
【図面の簡単な説明】
【００６９】
【図１】本発明の一実施形態によるＬＣＤユニットをサブパネル側から見た斜視図である。
【図２】図１に示した一実施形態によるＬＣＤユニットをメインパネル側から見た斜視図である。
【図３】図１に示した一実施形態によるＬＣＤユニットの分解斜視図である。
【図４】図１の１００−１００線に沿った断面図である。
【図５】図１の２００−２００線に沿った断面図である。
【図６】図１に示した一実施形態によるＬＣＤユニットの樹脂フレームをサブパネル側から見た斜視図である。
【図７】図１に示した一実施形態によるＬＣＤユニットの樹脂フレームをメインパネル側から見た斜視図である。
【図８】図１に示した一実施形態によるＬＣＤユニットの補強プレートに両面テープが接着された状態を示した斜視図である。
【図９】図１に示した一実施形態によるＬＣＤユニットの補強プレートと共通ＦＰＣとの接着に使用される微粘着の両面テープの模式図である。
【図１０】図１に示した一実施形態によるＬＣＤユニットからベゼルを取り外した状態を示した斜視図である。
【図１１】図１０の３００−３００線に沿った断面図である。
【図１２】図１に示した一実施形態によるＬＣＤユニットのベゼルを示した斜視図である。
【図１３】図１に示した一実施形態によるＬＣＤユニットの遮光シートを示した斜視図である。
【図１４】図１に示した一実施形態によるＬＣＤユニットのＬＥＤ用ＦＰＣと遮光シートとの接着に使用される微粘着の両面テープの模式図である。
【図１５】本発明の一実施形態によるＬＣＤユニットの分解時の手順を説明するための斜視図である。
【図１６】本発明の一実施形態によるＬＣＤユニットの分解時の手順を説明するための斜視図である。
【図１７】本発明の一実施形態によるＬＣＤユニットの分解時の手順を説明するための斜視図である。
【図１８】図１７の４００−４００線に沿った断面図である。
【図１９】本発明の一実施形態によるＬＣＤユニットの分解時の手順を説明するための斜視図である。
【図２０】図１に示した一実施形態の第１変形例によるＬＣＤユニットの両面テープを示した斜視図である。
【図２１】図１に示した一実施形態の第２変形例によるＬＣＤユニットの両面テープを示した斜視図である。
【図２２】従来の２つの表示パネルを含むＬＣＤユニットの構造を示した斜視図である。
【図２３】図２２に示した従来のＬＣＤユニットの分解斜視図である。
【図２４】図２２に示した従来のＬＣＤユニットからベゼルを取り外した状態を示した斜視図である。
【図２５】図２４の５００−５００線に沿った断面図である。
【図２６】図２２に示した従来のＬＣＤユニットのメインパネルを樹脂フレームから分解する状態を示した斜視図である。
【符号の説明】
【００７０】
１０  サブパネル（第２表示パネル）
２０  メインパネル（第１表示パネル）
３１  樹脂フレーム（フレーム）
３２  両面テープ（第２両面テープ）
３３  ＬＥＤ（光源）
３４  ＬＥＤ用ＦＰＣ（第１フレキシブルプリント配線板）
３５  導光板
４２  共通ＦＰＣ（第２フレキシブルプリント配線板）
５３  遮光シート
５４  両面テープ（第１両面テープ）
【図１】
0004600197.tif 000002
【図２】
0004600197.tif 000003
【図３】
0004600197.tif 000004
【図４】
0004600197.tif 000005
【図５】
0004600197.tif 000006
【図６】
0004600197.tif 000007
【図７】
0004600197.tif 000008
【図８】
0004600197.tif 000009
【図９】
0004600197.tif 000010
【図１０】
0004600197.tif 000011
【図１１】
0004600197.tif 000012
【図１２】
0004600197.tif 000013
【図１３】
0004600197.tif 000014
【図１４】
0004600197.tif 000015
【図１５】
0004600197.tif 000016
【図１６】
0004600197.tif 000017
【図１７】
0004600197.tif 000018
【図１８】
0004600197.tif 000019
【図１９】
0004600197.tif 000020
【図２０】
0004600197.tif 000021
【図２１】
0004600197.tif 000022
【図２２】
0004600197.tif 000023
【図２３】
0004600197.tif 000024
【図２４】
0004600197.tif 000025
【図２５】
0004600197.tif 000026
【図２６】
0004600197.tif 000027